(57)【特許請求の範囲】
【請求項１】
水石鹸を収容するタンク本体と、前記タンク本体の下に取付けられた水石鹸吐出機構と、前記タンク本体及び／又は前記水石鹸吐出機構に接続され且つそれを支持する支持部材と、を有する水石鹸吐出装置であって、
前記タンク本体は、環状の側壁を有し、
更に、前記タンク本体の環状の側壁の周り全体及び前記タンク本体、前記水石鹸吐出機構、及び前記支持部材の接続部を覆う環状のカバーを有し、
更に、前記タンク本体の環状の側壁の上縁に配置される環状のシールと、
前記環状のシールを前記環状の側壁に向かって下方に押付ける環状の押付け部材と、を有し、
前記環状のシールは、前記環状の押付け部材による押付けにより、前記環状のカバーに向かって広がり、前記タンク本体の環状の側壁と前記環状のカバーとの間をシールすることを特徴とする水石鹸吐出装置。
【請求項２】
前記タンク本体は、前記環状の押付け部材が前記環状のシールを下方に押付けたときに前記環状の押付け部材が当接する当接面を有し、且つ、前記当接面に固定されることを特徴とする請求項１に記載の水石鹸吐出装置。
【請求項３】
前記環状のシールは、基部と、それからＶ字形に延びる２つのアーム部と、を有し、前記基部が前記アーム部に対して上になるように配置され、前記押付け部材が前記基部を下方に押すことにより、前記２つのアーム部の間の角度が大きくなることを特徴とする請求項１又は２に記載の水石鹸吐出装置。
【請求項４】
前記環状の側壁の上縁は、前記環状のカバーに向かって下方に傾斜することを特徴とする請求項３に記載の水石鹸吐出装置。
【請求項５】
前記押付け部材は、前記環状のカバーの内側に位置し、
更に、前記押付け部材の内側に嵌合し且つ前記環状のカバーの上縁に当接する上蓋を有することを特徴とする請求項１〜４の何れか１項に記載の水石鹸吐出装置。
【請求項６】
水石鹸を収容するタンク本体と、前記タンク本体の下に取付けられた水石鹸吐出機構と、前記タンク本体及び／又は前記水石鹸吐出機構に接続され且つそれを支持する支持部材と、を有する水石鹸吐出装置であって、
前記タンク本体は、環状の側壁を有し、
更に、前記タンク本体の環状の側壁の周り全体及び前記タンク本体、前記水石鹸吐出機構、及び前記支持部材の接続部を覆う環状のカバーを有し、
前記タンク本体は、タンク固定ネジによって前記支持部材に取外し可能に固定され、
前記環状のカバーは、前記支持部材が貫通する孔を有し、
前記支持部材は、取付け箇所の表側に取付けられ且つその裏側から固定され、
前記タンク本体及び前記支持部材は、前記タンク固定ネジを取外したときに、前記環状のカバーを前記タンク本体と一緒に前記支持部材から抜取ることを阻止する阻止部を有することを特徴とする水石鹸吐出装置。
【請求項７】
前記タンク本体は、前記タンク固定ネジによって前記支持部材にその下方から固定され、
更に、前記タンク固定ネジを隠すように前記支持部材の下に底蓋固定ネジによって固定される底蓋を有することを特徴とする請求項６に記載の水石鹸吐出装置。
【請求項８】
前記底蓋は、前記水石鹸吐出機構が通過可能な孔を有し、前記水石鹸吐出機構は、前記底蓋が前記支持部材に固定されたまま、専用工具を用いて前記タンク本体から取外すことが可能であることを特徴とする請求項７に記載の水石鹸吐出装置。
【発明の詳細な説明】
【技術分野】
【０００１】
本発明は、水石鹸吐出装置に関する。
【背景技術】
【０００２】
従来から、公衆トイレの洗面台等において、水石鹸を吐出する水石鹸吐出装置が使用されている（例えば、特許文献１参照）。このような水石鹸吐出装置は、一般的には、水石鹸を収容するタンク本体と、タンク本体の下に取付けられた水石鹸吐出機構と、タンク本体に接続され且つそれを支持する支持部材とを有しており、水石鹸吐出機構の吐出桿又は押しボタン等を操作することにより、タンク本体内に収容されている水石鹸が、水石鹸吐出機構から適量吐出される。一般的には、タンク本体は、樹脂で形成され、支持部材は、金属で形成されている。また、タンク本体と支持部材の接続部は外から見えている。
【０００３】
【特許文献１】特開２００７−２０２６８７号公報
【発明の開示】
【発明が解決しようとする課題】
【０００４】
タンク本体と支持部材の接続部が外から見えていると、タンク本体が悪戯により持ち去られることがある。タンク本体が持ち去られないように、タンク本体と支持部材とを一体に形成して、タンク本体と支持部材の接続部自体をなくすことが考えられるが、コスト高であり、好ましいとはいえない。
【０００５】
また、水石鹸吐出装置の外観をすっきりさせる要望もある。
【０００６】
そこで、本発明の目的は、タンク本体を持ち去ることを安価に防止することができると共に、水石鹸吐出装置の外観をすっきりさせる水石鹸吐出装置を提供することにある。
【課題を解決するための手段】
【０００７】
上記目的を達成するために、本発明による水石鹸吐出装置は、水石鹸を収容するタンク本体と、タンク本体の下に取付けられた水石鹸吐出機構と、タンク本体及び／又は水石鹸吐出機構に接続され且つそれを支持する支持部材と、を有する水石鹸吐出装置であって、タンク本体は、環状の側壁を有し、更に、タンク本体の環状の側壁の周り全体、及びタンク本体、水石鹸吐出機構、及び支持部材の接続部を覆う環状のカバーを有し、更に、タンク本体の環状の側壁の上縁に配置される環状のシールと、環状のシールを環状の側壁に向かって下方に押付ける環状の押付け部材と、を有し、環状のシールは、環状の押付け部材による押付けにより、環状のカバーに向かって広がり、タンク本体の環状の側壁と環状のカバーとの間をシールすることを特徴としている。
【０００８】
このように構成された水石鹸吐出装置では、タンク本体の環状の側壁の周り全体を覆う環状のカバーが、タンク本体、水石鹸吐出機構、及び支持部材の接続部を覆っているので、タンク本体、水石鹸吐出機構、及び支持部材の接続部は外から見えない。それにより、タンク本体が持ち去られることを防止することができる。また、タンク本体、水石鹸吐出機構、及び支持部材の接続部が、単一部品のカバーで覆われることにより、水石鹸吐出装置の外観をすっきりさせることができる。
【００１０】
また、タンク本体の環状の側壁の上縁に配置された環状のシールが、押付け部材による下方への押付けによって環状のカバーに向かって広がり、タンク本体の環状の側壁と環状のカバーとの間をシールする。それにより、タンク本体に水石鹸を入れたときにタンク本体と環状のカバーの間に入ってしまった水石鹸がタンク本体と環状のカバーの間を伝わって下方から出てきて、水石鹸吐出装置の外観がすっきりしなくなることを防止することができる。また、水石鹸吐出装置の水石鹸の本来の通路に漏れ箇所があるという誤認を回避することができる。
【００１１】
上記実施形態において、好ましくは、タンク本体は、環状の押付け部材が環状のシールを下方に押付けたときに環状の押付け部材が当接する当接面を有し、且つ、当接面に固定される。
【００１２】
この水石鹸吐出装置では、環状の押付け部材をタンク本体の当接面に当接させた状態で当接面に固定することにより、押付け部材による環状のシールへの押付け量を一定にすることができる。それにより、タンク本体と環状のカバーとの間を確実にシールすることができ、タンク本体と環状のカバーとの間に入ってしまった水石鹸により水石鹸吐出装置の外観がすっきりしなくなることが確実に防止される。
【００１３】
上記実施形態において、好ましくは、環状のシールは、基部と、それからＶ字形に延びる２つのアーム部と、を有し、基部がアーム部に対して上になるように配置され、押付け部材が基部を押すことにより、２つのアーム部の間の角度が大きくなる。
【００１４】
この水石鹸吐出装置では、押付け部材が環状のシールの基部を下方に押付けることによって、環状のシール２つのアーム部の間の角度が大きくなるので、環状のシールを効果的に環状のカバーに向かって押広げることが可能である。それにより、タンク本体と環状のカバーとの間を確実にシールすることができ、タンク本体と環状のカバーとの間に入ってしまった水石鹸により水石鹸吐出装置の外観がすっきりしなくなることが確実に防止される。
【００１５】
上記実施形態において、好ましくは、環状の側壁の上縁は、環状のカバーに向かって下方に傾斜する。
【００１６】
この水石鹸吐出装置では、環状のシールの２つのアーム部が、環状のカバーに向かって広がりやすくなる。それにより、タンク本体と環状のカバーとの間を確実にシールすることができ、タンク本体と環状のカバーとの間に入ってしまった水石鹸により水石鹸吐出装置の外観がすっきりしなくなることが確実に防止される。
【００１７】
本発明の水石鹸吐出装置の実施形態において、好ましくは、押付け部材は、環状のカバーの内側に位置し、更に、押付け部材の内側に嵌合し且つ環状のカバーの上縁に当接する上蓋を有する。
【００１８】
この水石鹸吐出装置では、押付け部材は、環状のカバーの内側に隠れ、上蓋と環状のカバーとの間の当接部分だけが外観に現れるだけなので、水石鹸吐出装置の概観をすっきりさせることができる。
【００１９】
また、上記目的を達成するために、本発明による水石鹸吐出装置は、水石鹸を収容するタンク本体と、タンク本体の下に取付けられた水石鹸吐出機構と、タンク本体及び／又は水石鹸吐出機構に接続され且つそれを支持する支持部材と、を有する水石鹸吐出装置であって、タンク本体は、環状の側壁を有し、更に、タンク本体の環状の側壁の周り全体、及びタンク本体、水石鹸吐出機構、及び支持部材の接続部を覆う環状のカバーを有し、タンク本体は、タンク固定ネジによって支持部材に取外し可能に固定され、環状のカバーは、支持部材が貫通する孔を有し、支持部材は、取付け箇所の表側に取付けられ且つその裏側から固定され、タンク本体及び支持部材は、タンク固定ネジを取外したときに、環状のカバーをタンク本体と一緒に支持部材から抜取ることを阻止する阻止部を有することを特徴としている。
【００２０】
このように構成された水石鹸吐出装置では、タンク本体の環状の側壁の周り全体を覆う環状のカバーが、タンク本体、水石鹸吐出機構、及び支持部材の接続部を覆っているので、タンク本体、水石鹸吐出機構、及び支持部材の接続部は外から見えない。それにより、タンク本体が持ち去られることを防止することができる。また、タンク本体、水石鹸吐出機構、及び支持部材の接続部が、単一部品のカバーで覆われることにより、水石鹸吐出装置の外観をすっきりさせることができる。また、この水石鹸吐出装置によれば、支持部材が取付け箇所にその裏側から固定されているので、タンク本体を持ち去るために、水石鹸吐出装置全体を取付け箇所から取外すことは困難である。また、タンク本体と支持部材とを固定しているタンク固定ネジを取外して、タンク本体と環状のカバーを一緒に持ち去ろうとしても、支持部材が貫通している管状のカバーの孔によって、タンク本体及び環状のカバーを、孔を横切る方向に持ち去ることが阻止される。また、タンク本体と支持部材とを固定しているタンク固定ネジを取外しても、タンク本体を持ち去るために、タンク本体と環状のカバーを一緒に支持部材から抜取ることは、タンク本体及び支持部材の阻止部によって阻止される。かくして、タンク本体を持ち去ることを更に効果的に防止できる。
【００２１】
上記実施形態において、好ましくは、タンク本体は、タンク固定ネジによって支持部材にその下方から固定され、更に、タンク固定ネジを隠すように支持部材の下に底蓋固定ネジによって固定される底蓋を有する。
【００２２】
この水石鹸吐出装置では、タンク本体を支持部材から取外すためにタンク固定ネジを取外す必要があり、更に、タンク固定ネジを取外すために、底蓋を支持部材に固定している底蓋固定ネジを取外さなければならないので、タンク本体を持ち去ることを更に効果的に防止できる。
【００２３】
上記実施形態において、好ましくは、底蓋は、水石鹸吐出機構が通過可能な孔を有し、水石鹸吐出機構は、底蓋が支持部材に固定されたまま、専用工具を用いてタンク本体から取外すことが可能である。
【００２４】
この水石鹸吐出装置では、水石鹸吐出装置を持ち去ることを効果的に防止しながら、水石鹸吐出機構のメンテナンスを容易に行うことができる。
【発明の効果】
【００２５】
以上説明したように、本発明による水石鹸吐出装置によれば、タンク本体を持ち去ることを安価に防止することができると共に、水石鹸吐出装置の外観をすっきりさせることができる。
【００２６】
また、本発明による水石鹸吐出装置によれば、タンク本体を持ち去ることを防止することができる。
【発明を実施するための最良の形態】
【００２７】
図面を参照して、本発明による水石鹸吐出装置の実施形態を説明する。図１は、本発明による水石鹸吐出装置の縦断面図である。図２は、図１の水石鹸吐出装置の分解縦断面図である。図３は、蓋を省略した図１の線III−IIIにおける断面図である。図４は、シールの断面図である。図５は、専用工具の斜視図である。
【００２８】
図１〜図３に示すように、本発明による水石鹸吐出装置１は、水石鹸を収容するタンク本体２と、タンク本体２の下に取付けられた水石鹸吐出機構４と、タンク本体２に接続され且つそれを支持する支持部材６とを有している。
【００２９】
タンク本体２は、環状の側壁８と、底壁１０とを有している。底壁１０は、水吐出機構４を収容するように下方に延びる円筒部１２を有している。円筒部１２の外面には、雄ネジ部１２ａが形成されている。また、底壁１０は、タンク本体２を支持部材６に取付けるために下方に延びる２つの突出部１４を有し、突出部１４は、後述するタンク固定ネジ３２が螺合する雌ネジ部１４ａを有している。タンク本体２の内部空間２ａと、円筒部１２の内部空間１２ｂとは、図示しない通路によって連通している。好ましくは、タンク本体２は、樹脂によって作られ、雌ネジ部１４ａは、インサートの形態で設けられる。
【００３０】
水石鹸吐出機構４は、円筒形の側部１６ａと水石鹸を吐出する吐出口１６ｂを有する底部１６ｃを有する吐出口部材１６と、底部１６ｃの上面に配置された環状のシール用シート部材１７と、吐出口１６ｂを貫通した状態で上下方向に移動可能な棒部分１８ａとシール用シート部材１７に下方に押圧可能な拡径部分１８ｂとを有する吐出桿１８と、吐出桿１８を下方に付勢するバネ２０と、円筒部１２の中に収容され且つバネ２０が当接するケース２２とを有している。ケース２２は、水石鹸が通行可能な孔２２ａを有している。
【００３１】
支持部材６は、支持部材６を壁又は洗面器のフレーム等の取付け箇所２４に取付けるための取付け部分６ａと、タンク本体２を支持部材６に固定するための固定部分６ｂと、それらの間に配置された中間部分６ｃとを有している。取付け部分６ａは、中間部分６ｃよりも細い径を有し、雄ネジ部６ｄを有している。支持部材６は、取付け箇所２４に設けられた孔２４ａに取付け部分６ａを表側２４ｂから挿入することによって、取付け箇所２４の表側２４ｂに取付けられ、その裏側２４ｃからナット２６を締付けることによって固定されている。固定部分６ｂは、その上面に、タンク本体２の２つの突出部１４を受入れる２つの孔２８が設けられ、その下面から、２つの孔２８と整列する座ぐり付きの貫通孔３０が形成されている。２つの突出部１４は、タンク固定ネジ３２によって、２つの孔２８に当接して固定されることが好ましい。かくして、タンク本体２は、タンク固定ネジ３２によって支持部材６にその下方から取外し可能に固定されている。また、固定部分６ｂは、その下面に、後述する底蓋固定ネジ４８が螺合する雌ネジ部３４を有している。
【００３２】
水石鹸吐出装置１は、更に、タンク本体２の環状の側壁８の周り全体及びタンク本体２、水石鹸吐出機構４、及び支持部材６の接続部を覆う環状のカバー４０と、タンク本体２の環状の側壁８の上縁８ａの上に配置される環状のシール４２と、環状のシール４２を環状の側壁８に向かって下方に押付ける環状の押付け部材４４と、押付け部材４４の内側に嵌合し且つ環状のカバー４０の上縁４０ｂに当接する上蓋４６と、タンク固定ネジ３２を隠すように支持部材６の下に底蓋固定ネジ４８によって固定される底蓋５０とを有している。
【００３３】
環状のカバー４０は、例えば、２枚のステンレススチール板をシーム溶接によって環状に接続することによって形成される。環状のカバー４０は、タンク本体２の上縁８ａよりも上の箇所から、支持部材６よりも下方の箇所まで延びており、支持部材６が貫通する円形の孔４０ａを有している。また、環状のカバー４０は、吐出口部材１６の底部１６ｃの下端まで下方に延び、吐出桿１８の棒部分１８ａが、環状のカバー４０よりも下方に延びている。
【００３４】
図４に示すように、環状のシール４２は、環状の押付け部材４４による押付けにより、環状のカバー４０に向かって広がり、タンク本体２の環状の側壁８と環状のカバー４０との間をシールするように構成されている。具体的には、環状のシール４２は、基部４２ａと、それからＶ字形に延びる２つのアーム部４２ｂとを有している。環状のシール４２は、基部４２ａがアーム部４２ｂに対して上になるように配置され、押付け部材４４が基部４２ａを下方に押すことにより、２つのアーム部４２ｂの間の角度が大きくなるように構成されている。シール４２は、ゴム等で作られることが好ましい。
【００３５】
図３に示すように、タンク本体２の環状の側壁８の上縁８ａは、環状のカバー４０に向かって下方に傾斜することが好ましい。また、タンク本体２の側壁８は、環状の押付け部材４４が環状のシール４０を下方に押付けたときに環状の押付け部材４４が当接する当接上面２ｂを有し、且つ、ネジ５１によって当接上面２ｂに固定されることが好ましい。当接上面２ｂは、上縁８ａよりも内側に且つ下方に設けられることが好ましい。
【００３６】
環状の押付け部材４４は、環状のカバー４０の内側に位置し、環状のシール４２の基部４２ａに当接するシール当接下面４４ａと、タンク本体２の側壁８の当接上面２ｂに当接するタンク当接下面４４ｂと、上蓋４６が嵌合するように押付け部材４４の内側に形成された上向き凹部４４ｃとを有している。シール当接下面４４ａは、環状のカバー４０に向かって上方に傾斜することが好ましい。押付け部材４４のシール当接下面４４ａ及びタンク本体２の上縁８ａは、押付け部材４４のタンク当接下面４４ａがタンク本体２の当接上面２ｂに当接したときに、環状のシール４２が環状のカバー４０に確実に押付けられるように定められる。
【００３７】
図２に示すように、上蓋４６は、押付け部材４４の上向き凹部４４ｃの内側に嵌合する嵌合部分４６ａと、嵌合部分４６ａよりも大きく且つ環状のカバー４０を閉鎖するようにその上縁４０ｂに当接する当接部分４６ｂとを有している。当接部分４６ｂは、水石鹸吐出装置１の外観に現れ、その外輪郭は、環状のカバー４０の断面輪郭と一致することが好ましい。上蓋４６は、環状のカバー４０と同じ材質で作られることが好ましい。また、上蓋４６は、押付け部材４４を貫通し且つ押付け部材４４の下方に拡径部５２ａを有する支柱又はネジ５２等を介して、押付け部材４４に対して回転可能に且つ押付け部材４４から簡単に取外すことができないように、押付け部材４４に取付けられることが好ましい。
【００３８】
底蓋５０は、環状のカバー４０の内側に嵌合する嵌合部分５０ａと、嵌合部分５０ａよりも大きく且つ環状のカバー４０を閉鎖するようにそれに下方から当接する当接部分５０ｂとを有している。また、底蓋５０は、水石鹸吐出機構４の吐出口部材１６が通過可能な孔５０ｃと、底蓋５０を支持部材６に固定するための底蓋固定ネジ４８が挿入され且つ支持部材６の雌ネジ部３４と整列する孔５０ｄを有している。底蓋５０が支持部材６に底蓋固定ネジ４８によって固定されたまま、水石鹸吐出機構４をタンク本体２から取外すために、吐出口部材１６の下面に、専用工具５４（図５参照）が挿入される孔１６ｄを有していることが好ましい。専用工具５４は、孔１６ｄに嵌合するピン５４ａと、吐出桿１８の棒部分１８ｂを受入れる貫通孔５４ｂとを有している。
【００３９】
上述した水石鹸吐出装置１では、タンク本体２、水石鹸吐出機構４、及び支持部材６の接続部が、単一部品のカバー４０で覆われることにより、水石鹸吐出装置の外観をすっきりさせることができる。
【００４０】
また、カバー４０の外に現れる部品が、上蓋４６、底蓋５０及び支持部材６だけであり、上蓋４６及び底蓋５０の外輪郭は、環状のカバー４０の断面輪郭と一致させるように作られているので、水石鹸吐出装置の外観を更にすっきりさせることができる。
【００４１】
次に、上述した水石鹸装置の動作を説明する。
【００４２】
先ず、上蓋４６を持上げてネジ５２を中心に回転させ、タンク本体２の内部空間２ａを上方に開口させる。タンク本体２の内部空間２ａに水石鹸を注ぎいれる。水石鹸は、内部空間２ａから図示しない通路を通って、タンク本体２の円筒部１２の内部空間１２ａに移動し、孔２２ａを通って、ケース２２の内部に移動する。吐出桿１８の拡径部分１８ｂがバネ２０によって、シール用シート部材１７に押付けられているので、水石鹸は、吐出孔１６ｂから吐出されない。
【００４３】
吐出桿１８の棒部分１８ａをバネ２０に抗して上方に持上げると、吐出桿１８の拡径部分１８ｂとシール用シート部材１７との間に隙間が生じ、水石鹸が、その隙間及び吐出孔１６ｂを通って吐出される。
【００４４】
上記のように構成したため、タンク本体２の内部空間２ａに水石鹸を入れたとき、環状カバー４０又は環状の側壁８と、環状の押付け部材４４との間に水石鹸が入ってしまった場合であっても、タンク本体２の環状の側壁８の上縁８ａに配置された環状のシール４２が、押付け部材４４による下方への押付けによって環状のカバー４０に向かって広がり、タンク本体２の環状の側壁８と環状のカバー４０との間をシールする。それにより、水石鹸がタンク本体２と環状のカバー４０の間を伝わって下方から出て来ることが防止される。
【００４５】
また、環状の押付け部材４４をタンク本体２の当接上面２ｂに当接させた状態で当接上面２ｂに固定することにより、押付け部材４４による環状のシール４２への押付け量を一定にすることができる。それにより、タンク本体２と環状のカバー４０との間を確実にシールすることができる。
【００４６】
環状のシール４２は、基部４２ａと、それからＶ字形に延びる２つのアーム部４２ｂとによって構成され、押付け部材４４によって押付けられることにより、２つのアーム部４２ｂの間の角度が大きくなるので、環状のシール４２を効果的に環状のカバー４０に向かって押広げることができる。従って、環状のカバー４０をタンク本体２に対して大きく形成して組立てを容易にすることができると共に、環状のカバー４０又はタンク本体２の寸法精度がよくない場合であっても、環状のシール４２が周方向全体にわたって環状のカバーに密着し、タンク本体２と環状のカバー４０との間を確実にシールすることができる。
【００４７】
また、タンク本体２の環状の側壁８の上縁８ａが、環状のカバー４０に向かって下方に傾斜すると共に、押付け部材４４のシール当接下面４４ａが、環状のカバー４０に向かって上方に傾斜しているので、上記形態の環状のシール４２を下方への押付けによって環状のカバーに向かって効果的に押広げることができる。
【００４８】
その結果、タンク本体と環状のカバーとの間に入ってしまった水石鹸が、その隙間から漏れ出て、水石鹸吐出装置の外観がすっきりしなくなることが防止される。また、水石鹸吐出装置の本来の通路に漏れ箇所があるという誤認を回避することができる。
【００４９】
次に、上述した水石鹸吐出装置の分解手順を説明する。
【００５０】
先ず、上蓋４６を持上げてネジ５２を中心に回転させ、タンク本体２の内部空間２ａを上方に開口させる。ネジ５１を取外して、上蓋４６と押付け部材４４を一緒に、タンク本体２から取外す。次いで、環状のシール４２を取外す。
【００５１】
次に、底蓋固定ネジ４８を取外して、底蓋５０を取外す。次いで、タンク固定ネジ３２を取外す。この時点では、カバー４０とタンク本体２とを持って、それらを方向Ｂ（図１参照）に引上げようとしても、カバー４０に設けられている孔４０ａを支持部材６が貫通している状態であるため、カバー４０及びタンク本体２を引上げることはできない。また、支持部材６の孔２８がタンク本体の突出部１４を受入れた状態であるので、タンク本体２と環状のカバー４０を一緒に、支持部材６から方向Ａ（図１参照）に引抜くことはできない。かくして、タンク本体の突出部１４及び支持部材６の孔２８は、タンク固定ネジ３２を取外したときに、環状のカバー４０をタンク本体２と一緒に支持部材６から抜取ることを阻止する阻止部を構成する。
【００５２】
次いで、タンク本体２と水石鹸吐出機構４をいっしょに方向Ｂに持上げることにより、環状のカバー４０から引出す。次いで、カバー４０を方向Ａに引抜く。
【００５３】
上述した水石鹸吐出装置１では、タンク本体２の環状の側壁８の周り全体を覆う環状のカバー４０が、タンク本体２、水石鹸吐出機構４、及び支持部材６の接続部を覆っているので、タンク本体２、水石鹸吐出機構４、及び支持部材６の接続部は外から見えない。それにより、タンク本体が持ち去られることを防止することができる。
【００５４】
また、支持部材６が取付け箇所２４にその裏側２４ｃから固定されているので、タンク本体２を持ち去るために、水石鹸吐出装置１全体を取付け箇所２４から取外すことは困難であり、タンク本体が持ち去られることを防止することができる。
【００５５】
また、タンク本体２と支持部材６とを固定しているタンク固定ネジ３２を取外して、タンク本体２と環状のカバー４０を一緒に持ち去ろうとしても、支持部材６が貫通しているカバー４０の孔４０ａによって、タンク本体２及び環状のカバー４０を、孔４０ａを横切る方向に持ち去ることが阻止される。
【００５６】
また、タンク本体２と支持部材６とを固定しているタンク固定ネジ３２を取外しても、タンク本体２を持ち去るために、タンク本体２と環状のカバー４０を一緒に支持部材６から抜取ることが、タンク本体の突出部１４及び支持部材６の孔２８によって阻止されるので、タンク本体を持ち去ることを更に効果的に防止できる。
【００５７】
また、上記タンク固定ネジ３２を取外すためには、底蓋５０を支持部材６に固定している底蓋固定ネジ４８を取外さなければならないので、タンク本体を持ち去ることを更に効果的に防止できる。
【００５８】
また、上蓋４６は、押付け部材４４から簡単に取外すことができないように、押付け部材４４に取付けられ、押付け部材４４がタンク本体２に固定されているので、上蓋４６を持去ることも防止される。
【００５９】
次に、水石鹸吐出機構４を取外す手順を説明する。
【００６０】
専用工具５４の孔５４ｂに吐出桿１８の棒部分を差し込み、ピン５４ａを吐出口部材１６の孔１６ｄに差し込む。次いで、専用工具を他の工具又は手で回して、互いに螺合しているタンク本体２の円筒部１２及び吐出口部材１６を取外す。吐出口部材１６は、底蓋５０の孔５０ｃを通して下方に引抜くことができる。
【００６１】
従って、水石鹸吐出機構を、その他の部分を分解することなしに取外すことができる。従って、水石鹸吐出装置１は、タンク本体２を持ち去ることを効果的に防止した構造を有しながら、水石鹸吐出機構２のメンテナンスを容易に行うことができる。
【００６２】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【図面の簡単な説明】
【００６３】
【図１】本発明による水石鹸吐出装置の縦断面図である。
【図２】図１の水石鹸吐出装置の分解縦断面図である。
【図３】蓋を省略した図１の線III−IIIにおける断面図である。
【図４】シールの断面図である。
【図５】専用工具の斜視図である。
【符号の説明】
【００６４】
１  水石鹸吐出装置
２  タンク本体
２ｂ  当接上面
４  水石鹸吐出機構
６  支持部材
８  環状の側壁
８ａ  上縁
１４  突出部（阻止部）
２４  取付け箇所
２４ｂ  表側
２４ｃ  裏側
２８  孔（阻止部）
３２  タンク固定ネジ
４０  環状のカバー
４０ａ  孔
４０ｂ  上縁
４２  環状のシール
４４  環状の押付け部材
４２ａ  基部
４２ｂ  アーム部
４６  上蓋
４８  底蓋固定ネジ
５０  底蓋
５０ｃ  孔
５４  専用工具
【図１】
0005263707.tif 000002
【図２】
0005263707.tif 000003
【図３】
0005263707.tif 000004
【図４】
0005263707.tif 000005
【図５】
0005263707.tif 000006